(57)【特許請求の範囲】
【請求項１】
水槽（Ｖ）内の底面に設置される底面濾過本体（１）と、その底面濾過本体（１）の角部に接続手段（Ｊ）を介して着脱可能に接続されて、水槽（Ｖ）内のコーナー部に保持されるコーナー濾過本体（２０）とを備え、
前記底面濾過本体（１）は、四角な偏平形状の複数の濾過本体ユニット（１ｕ…）を一平面状に着脱可能に連結して構成され、前記複数の濾過本体ユニット（１ｕ…）の各角部には、前記底面濾過本体（１）内の底面濾過室（４）に連通される第１のジョイント（１２…）がそれぞれ設けられ、一方、水槽（Ｖ）内を上下方向に延びる連通管（３５）の下端に、第２のジョイント（３６）が設けられ、第１、第２のジョイント（１２，３６）により、前記接続手段（Ｊ）が構成され、
前記連通管（３５）は、前記コーナー濾過本体（２０）内に設けた吸水管（３３）に上下位置を調整可能に抜差自在に挿通され、
前記濾過本体ユニット（１ｕ…）の上壁（２）および側壁（３）には、その略全域に亘り複数の吸込小孔（１０，１１）が穿設され、前記複数の第１のジョイント（１２）は帽状に形成されて、その上壁は、前記底面濾過本体（１）の上壁（２）と面一に形成されて、そこに複数の小孔（１４）が穿設され、
前記第１、第２のジョイント（１２，３６）は着脱可能に接続されて前記底面濾過室（４）と前記コーナー濾過室（３０）とが前記連通管（３５）を介して相互に連通され、それらの濾過室（４，３０）は共通のポンプ（Ｐ）により吸水力が作用するようにされ、
前記底面濾過室（４）内には、その上壁に敷設される底面濾材（１６）を通過した濾過水が、前記吸込小孔（１０，１１）および第２ジョイント（３６）の接続されない第１ジョイント（１２）の小孔（１４）を通して吸引され、また、コーナー濾過室（３０）内には、コーナー濾過本体（２０）に穿設した他の吸込孔（２５）を通してその内部に収容したコーナー濾材（２２）を通過した濾過水が吸引されるようにされ、底面およびコーナー濾材（１６，２２）を通過した濾過水は、前記吸水管（３３）内に合流して、コーナー濾過本体（２０）に接続した散水管（２７）を通して外部に排水されるようにしたことを特徴とする、内部式濾過装置。
【請求項２】
前記底面濾過本体（１）と、その多数の吸込小孔（１０）を穿設した上壁（２）に敷設される小石などの粗な濾材よりなる前記底面濾材（１６）とにより底面濾過装置（Ｆ１）が構成され、また、前記コーナー濾過本体（２０）と、その内部に収容されて、多孔質板などの密な濾材を構成する前記コーナー濾材（２２）とよりコーナー濾過装置（Ｆ２）が構成され、底面濾過本体（１）の前記底面濾過室（４）と、コーナー濾過本体（２０）の前記コーナー濾過室（３０）は、前記第１、第２のジョイント（１２，３６）および前記連通管（３５）を介して相互に連通されることを特徴とする、前記請求項１記載の内部式濾過装置。
【請求項３】
前記第１のジョイント（１２）は、底面濾過本体（４）の角部に形成されて複数の小孔（１４）を開口した雄ジョイントよりなり、また、前記第２のジョイント（３６）は、前記連通管（３５）の下端に形成されてそこに連通される雌ジョイントよりなり、前記雄、雌ジョイント（１２，３６）は、着脱自在に嵌合接続されることを特徴とする、前記請求項１または２記載の内部式濾過装置。
【請求項４】
前記水槽（Ｖ）内の未浄化水は、前記底面濾過装置（Ｆ１）により濾過されたのち、前記コーナー濾過本体（２０）を通って水槽（Ｖ）内に戻される第１の流れと、前記コーナー濾過本体（２０）に開口される他の吸込孔（２５）を通り、コーナー濾過装置（Ｆ２）により濾過されて水槽（Ｖ）内に戻される第２の流れとに分流されることを特徴とする、前記請求項２または３記載の内部式濾過装置。
【発明の詳細な説明】
【技術分野】
【０００１】
本発明は、金魚、熱帯魚、海水魚等の観賞魚の飼育用内部式濾過装置、特に、水槽内の未浄化水を広範囲にわたり同時に吸込、濾過して浄化能率を高めるようにした、内部式濾過装置に関する。
【背景技術】
【０００２】
従来、水槽内で前記観賞魚を飼育、育成するための、水槽内の未浄化水を濾過して浄化する内部式濾過装置として、濾過本体を水槽内のコーナー部に配置して水槽内の未浄化水を濾過するようにした、コーナー濾過装置は公知である（たとえば、後記特許文献１参照）。
【０００３】
また、前記内部式濾過装置として、その濾過本体を水槽内の底面に配置して水槽内の未浄化水を濾過するようにした底面濾過装置も公知である（たとえば、後記特許文献２参照）。
【先行技術文献】
【特許文献】
【０００４】
【特許文献１】特開２００９−１６５４０５号公報
【特許文献２】特許第３９７５２２１号公報
【発明の概要】
【発明が解決しようとする課題】
【０００５】
ところで、前記特許文献１に示されるコーナー濾過装置は、水槽内の未浄化水を水槽内のコーナー領域から濾過本体内に吸い上げ、濾過したのちの清浄化水を水槽内に戻すように構成されており、また、前記特許文献２に示される底面濾過装置は、水槽内の未浄化水を水槽内に底面領域から濾過本体内に吸い上げ、濾過したのちの清浄水を水槽内に戻すように構成されている。
【０００６】
ところが、水槽内で飼育される観賞魚の種類や数、水槽の大きさ、水槽内の水草の有無などによっては、前記特許文献１あるいは２に示される濾過装置では、水槽水の充分な浄化能率が得られないという問題がある。
【０００７】
本発明はかかる実情に鑑みてなされたもので、コーナー濾過装置と底面濾過装置を簡単に接続して、水槽内のコーナ領域および底面領域にわたる広範囲の未浄化を共通のポンプにより同時に濾過できるようにして、前記問題を解決できるようにした、新規な内部式濾過装置を提供することを目的とする。
【課題を解決するための手段】
【０００８】
前記目的達成のため、請求項１記載の発明は、水槽内の底面に設置される底面濾過本体と、その底面濾過本体の角部に接続手段を介して着脱可能に接続されて、水槽内のコーナー部に保持されるコーナー濾過本体とを備え、
前記底面濾過本体は、四角な偏平形状の複数の濾過本体ユニットを一平面状に着脱可能に連結して構成され、前記複数の濾過本体ユニットの各角部には、前記底面濾過本体内の底面濾過室に連通される第１のジョイントがそれぞれ設けられ、一方、水槽内を上下方向に延びる連通管の下端に、第２のジョイントが設けられ、第１、第２のジョイントにより、前記接続手段が構成され、
前記連通管は、前記コーナー濾過本体内に設けた吸水管に上下位置を調整可能に抜差自在に挿通され、前記濾過本体ユニットの上壁および側壁には、その略全域に亘り複数の吸込小孔が穿設され、前記複数の第１のジョイントは帽状に形成されてその上壁は、前記底面濾過本体の上壁と面一に形成されて、そこに複数の小孔が穿設され、前記第１、第２のジョイントは着脱可能に接続されて前記底面濾過室と前記コーナー濾過室とが前記連通管を介して相互に連通され、それらの濾過室は共通のポンプにより吸水力が作用するようにされ、
前記底面濾過室内には、その上壁に敷設される底面濾材を通過した濾過水が、前記吸込小孔および第２ジョイントの接続されない第１ジョイントの小孔を通して吸引され、また、コーナー濾過室内には、コーナー濾過本体に穿設した他の吸込孔を通してその内部に収容したコーナー濾材を通過した濾過水が吸引されるようにされ、底面およびコーナー濾材を通過した濾過水は、前記吸水管内に合流して、コーナー濾過本体に接続した散水管を通して外部に排水されるようにしたことを特徴としている。
【０００９】
前記目的達成のため、請求項２記載の発明は、前記請求項１の発明において、前記底面濾過本体と、その多数の吸込小孔を穿設した上壁に敷設される小石などの粗な濾材よりなる前記底面濾材とにより底面濾過装置が構成され、また、前記コーナー濾過本体と、その内部に収容されて、多孔質板などの密な濾材を構成する前記コーナー濾材とよりコーナー濾過装置が構成され、底面濾過本体の前記底面濾過室と、コーナー濾過本体の前記コーナー濾過室は、前記第１、第２のジョイントおよび前記連通管を介して相互に連通されることを特徴としている。
【００１０】
前記目的達成のため、請求項３記載の発明は、前記請求項１または２記載の発明において、前記第１のジョイントは、底面濾過本体の角部に形成されて小孔を開口した雄ジョイントよりなり、また、前記第２のジョイントは、前記連通管の下端に形成されてそこに連通される雌ジョイントよりなり、前記雄、雌ジョイントは、着脱自在に嵌合接続されることを特徴としている。
【００１１】
前記目的達成のため、請求項４記載の発明は、前記請求項２または３記載の発明において、水槽内の未浄化水は、底面濾過装置により濾過されたのち、コーナー濾過本体を通って水槽内に戻される第１の流れと、前記コーナー濾過本体に開口される他の吸込孔を通り、コーナー濾過装置により濾過されて水槽内に戻される第２の流れとに分流されることを特徴としている。
【発明の効果】
【００１２】
請求項１の発明によれば、水槽内の底面領域および中間領域に亘る広範囲の未浄化水を同時に濾過することができ、その浄化能率を大幅に高めることができる。また、底面濾過本体とコーナー濾過本体を接続手段を介して相互に接続することにより底面濾過室とコーナー濾過室とを連通することができ、構造の簡素化と、濾過能率の向上とを図ることができる。また、連通管は、前記コーナー濾過本体内に設けた吸水管に上下位置を調整可能に抜差自在に挿通されるので、コーナー濾過本体の上下位置を調整することができ、さらに第１のジョイントは、四角な偏平形状の複数の濾過本体ユニット複数の角部にそれぞれ設けられるので、底面濾過本体に対してコーナー濾過本体の接続位置を複数箇所に選択することができ、水槽内におけるコーナー濾過装置の配置の自由度を高めることができる。
【００１３】
請求項２の発明によれば、底面濾過室とコーナー濾過室は、底面濾過本体とコーナー濾過本体とを接続する、第１、第２ジョイントを連結するだけで相互に連通できるので、それら両濾過室の連通手段を別途に設ける必要がなく、部品点数を少なくして構造の簡素化を図ることができ、その上、両濾過室の連通を確実のものとすることができる。
【００１４】
また、水槽内の未浄化水を、濾過態様の異なる、粗な濾材と密な濾材とで濾過できるので、未浄化水の浄化能率を高めることができる。
【００１５】
請求項３の発明によれば、底面濾過本体と、コーナー濾過本体とは、雄、雌ジョイントを着脱自在に嵌合して接続できるので、それらをワンタッチにて接続することができ、それらの接続操作、特に、水中内での接続操作が容易であり、また、それらの分離操作も容易である。
【００１６】
請求項４の発明によれば、水槽内の未浄化水は、底面濾過装置により濾過されたのち、コーナー濾過本体を通って水槽内に戻される第１の流れと、コーナー濾過装置により濾過され、コーナー濾過本体を通って水槽内に戻される第２の流れとに分流されるので、未浄化水の浄化能率を一層高めることができる。
【図面の簡単な説明】
【００１７】
【図１】内部式濾過装置を水槽内に設置した状態を示す斜視図
【図２】図１の２−２線に沿う内部式濾過装置の要部の拡大断面図
【図３】底面濾過本体の平面図
【図４】図３の４−４線に沿う断面図
【図５】図２の５−５線の沿う拡大断面図
【図６】底面濾過装置とコーナー濾過装置との接続部の分離状態の断面図
【発明を実施するための形態】
【００１８】
以下、本発明の実施の形態を添付図面に示した本発明の実施例に基づいて説明する。
【００１９】
本発明内部式濾過装置は、底面濾過装置Ｆ１の角部に、コーナー濾過装置Ｆ２を着脱可能に接続して構成され、単一の水中ポンプＰにより、それらの濾過装置Ｆ１，Ｆ２内に水槽Ｖ内の未浄化水をそれぞれ吸引循環させて濾過するように構成され、底面濾過装置Ｆ１は、水槽Ｖ内の底面領域の未浄化水を、また、第２濾過装置Ｆ２は、水槽Ｖ内のコーナー領域の未浄化水をそれぞれ吸引濾過するようにされる。
【００２０】
図１、２に示すように、底面濾過装置Ｆ１は、底面濾過本体１と、その上壁２に敷設される大磯などの小石よりなる底面濾材１６とを備えている。
【００２１】
図３、４に示すように、底面濾過本体１は、硬質の合成樹脂材板により四角な偏平形状に形成され、一対の濾過本体ユニット１ｕ，１ｕを一平面上に連結して構成されている。各濾過ユニット本体１ｕは、平坦な上壁２の周囲から側壁３が下向きに折り曲げられており、その下面は開放されている。各濾過本体ユニット１ｕの、相対向する側壁３の中央部には、一対のかぎ状片よりなる雌、雄連結片６，７がそれぞれ対応して形成されており、一対の濾過本体ユニット１ｕ，１ｕの雌、雄連結片６，７を相互に連結することにより、底面濾過本体１が形成される。底面濾過本体１の開放下面を、水槽Ｖ内に平坦な底面上に着座させることにより、底面濾過室４が形成される。
【００２２】
なお、一対の底面本体ユニット１ｕ，１ｕは、３個以上の濾過本体ユニット１ｕ・・を接続して構成してもよく、各濾過本体ユニット１ｕは、同一に形成される。
【００２３】
図４に示すように、各濾過本体ユニット１ｕの底面中央部には、すり割りを設けた取付片８が一体に設けられ、これらの取付片８には、吸盤９が着脱可能に取り付けられ、この吸盤９を水槽Ｖの底面に吸着させて、各濾過本体ユニット１ｕは水槽Ｖの底面に固定される。
【００２４】
各濾過本体ユニット１ｕの上壁２および側壁３には、それらの全域に亘り、複数の上面および側面吸込小孔１０，１１が穿設され、これらの吸込小孔１０，１１を通して水槽Ｖ内と底面濾過室４とが連通される。
【００２５】
図３，４に示すように、各濾過本体ユニット１ｕの四つの角部には、第１のジョイント１２がそれぞれ設けられる。
【００２６】
複数の第１のジョイント１２は、その一つを選択して第２のジョイント３６（後述）と着脱自在に連結されるようにされ、前記第１、第２のジョイント１２，３６は、本発明にかかる接続手段Ｊを構成する。
【００２７】
図１，２に示すように、各濾過本体ユニット１ｕの各角部に形成される第１のジョイント１２は、弧状の係合溝１３により囲まれる帽状の雄ジョイントよりなり、その上壁は、濾過本体ユニット１ｕの上壁２と面一にされていて、そこに複数の小孔１４が穿設されている。そして、この小孔１４は、底面濾過室４内と外部とを連通する。
【００２８】
前記底面濾材１６は、大磯などの小石よりなり、粗な濾材を構成しており、底面濾過室４内に発生する（後述の水中ポンプＰによる）吸水力により、水槽Ｖ内の未浄化水を、図２矢印ａに示すように、底面濾材１６を通過して濾過し、多数の上面および側面吸込小孔１０，１１を通して底面濾過室４内に吸い込むことができる。
【００２９】
図１，２，５に示すように、前記コーナー濾過装置Ｆ２は、水槽Ｖ内のコーナー部に支持されて、底面濾過装置Ｆ１の角部上に立設され、水槽Ｖ内のコーナー領域の未浄化水を吸引濾過するものであって、コーナー濾過本体２０と、その上部に着脱可能に連結される駆動ユニット２１と、その内部に収容されるコーナー濾材２２を備える。
【００３０】
コーナー濾過本体２０は、合成樹脂材により、前後に２分割の三角筒状に形成されており、その横断面が略直角をなす背面には、複数の吸盤２４が着脱可能に取り付けられており、これらの吸盤２４を水槽Ｖ内のコーナー部の壁面に吸着させることにより、コーナー濾過装置Ｆ２を、水槽Ｖ内のコーナー部に吸着保持することができる。また、コーナー濾過本体２０の前面下部には、その内部の未濾過室３１に連通する、複数の他の吸込孔２５が穿設されている。
【００３１】
前記駆動ユニット２１は、合成樹脂材によりコーナー濾過本体２０と同じく三角筒状に形成されて、コーナー濾過本体２０の開放上面に着脱可能に連結され、その内部に水中ポンプＰが収容される。この水中ポンプＰの吸込側は、吸水管３３（後述）に連通され、また、その吐出側は、駆動ユニット２１の上部に設けた送水管２６を介して複数の散水ノズル２８を設けた散水管２７に連通される。そして、この水中ポンプＰの駆動によれば、後に述べるように、コーナー濾過本体２０内の濾過水を吸い上げ、散水ノズル２８より水槽Ｖ内に放散するようにされている。
【００３２】
図２、５に示すように、コーナー濾過本体２０内には、その内部を濾過室３０と未濾過室３１とに画成するコーナー濾材２２が収容される。このコーナー濾材２２は、合成樹脂製の多孔質板により形成されて密な濾材を構成しており、濾材保持枠２３に三角筒状に屈曲して保持されている。コーナー濾過本体２０内には、コーナー濾材２２を保持した一対の濾材保持枠２３（ｕ），２３（ｌ）が上下方向に２段積みして収容されており、三角筒状のコーナー濾材２２の内側に濾過室３０が、その外側に未濾過室３１が形成される。
【００３３】
図２に示すように、上、下２段の濾材保持枠２３（ｕ），２３（ｌ）の中央部には、相互に連通する上下２段の吸水管３３（ｕ），３３（ｌ）がそれぞれ縦通して設けられており、下段の吸水管３３（ｌ）には、その下方より連通管３５が抜差自在に挿入される。下段の吸水管３３（ｌ）は、前記連通管３５および前記接続手段Ｊを介して底面濾過室４内に連通され、また、上段の吸水管３３（ｕ）は、前記水中ポンプＰの吸込側に連通される。前記連通管３５の下端には、第２のジョイント３６が形成される。この第２のジョイント３６は、連通管３５よりも拡径されて逆漏斗状に形成され、雌ジョイントを構成し、雄ジョイントを構成する前記第１のジョイント１２に着脱自在に嵌合接続される。また、下段の吸水管３３（ｌ）の下端と、下段の濾材保持枠２３（ｌ）の底面間には、この下段の吸水管３３（ｌ）をコーナー濾過室３０に連通する吸水口３７が形成されて、また、コーナー濾過本体２０の下部には、連通管３５を挿通案内する案内管３８が設けられる。
【００３４】
次に、本発明にかかる内部式濾過装置を水槽Ｖ内に組み付ける手順について説明する。
【００３５】
(1) 一対の濾過本体ユニット１ｕ，１ｕを接続してなる底面濾過本体１を水槽Ｖ内の底面上に設置し、各濾過本体ユニット１ｕの底面に取り付けた吸盤９を水槽Ｖ内の底面に吸着させる。これにより、底面濾過本体１は水槽Ｖの底面に固定され、その底面と底面濾過本体１間に底面濾過室４が形成される。
【００３６】
(2) 底面濾過本体１の角部に設けられる複数の第１ジョイント１２の一つを選択して、その第１ジョイント１２に、連通管３５下端の第２ジョイント３６を嵌合接続する。これにより、底面濾過本体１上に連通管３５が起立保持（図６参照）される。
【００３７】
(3) コーナー濾過装置Ｆ２を、水槽Ｖ内に投入して、コーナー濾過本体２０の下端の案内管３８を、連通管３５に一致させて下降させ、その連通管３５を、案内管３８を通して下段の吸水管３３（ｌ）に挿通してコーナー濾過本体２０を、底面濾過本体１上に接続し、吸盤２４を、水槽Ｖ内のコーナー部の壁面に吸着させて、コーナー濾過本体２０を水槽Ｖの所定位置に保持する（図２参照）。このとき、下段の吸水管３３（ｌ）は、連通管３５に抜き差し自在に挿通されるので、コーナー濾過本体２０の上下位置を調整することができる。これにより、底面濾過装置Ｆ１とコーナー濾過装置Ｆ２は接続され、底面濾過室４が、第１および第２のジョイント１２，３６よりなる接続手段Ｊおよび連通管３５を介して吸水管３３（ｌ），３３（ｕ）に連通されると共にコーナー濾過室３０が吸水口３７を介して吸込管３３（ｌ），３３（ｕ）に連通される。
【００３８】
つぎに、この内部式濾過装置の作用について説明する。
【００３９】
水中ポンプＰを駆動すれば、吸水管３３（ｕ），３３（ｌ）内に吸水力が作用し、水槽Ｖ内の底面領域の未浄化水は、図２矢印ａ，ｂに示すように、底面濾材１６→底面および側面吸込小孔１０，１１→底面濾過室４→接続手段Ｊ→連通管３５→吸水管３３（ｌ），３３（ｕ）へと流れ（第１の流れ）て、底面濾材１６により濾過されると共に図２矢印ｃ，ｄに示すように、他の吸込孔２５→未濾過室３１→コーナー濾材２２→コーナー濾過室３０→吸水口３７→吸水管３３（ｌ），３３（ｕ）へと流れ（第２の流れ）て濾過される。そして、前記２つの濾過水の流れ（第１および第２の流れ）は、吸水管３３（ｌ），３３（ｕ）内にて図２矢印ｅに示すように合流して水中ポンプＰに吸引され、そこから散水管２７へと圧送されて、複数の散水ノズル２８より水槽Ｖ内に噴出される。
【００４０】
以上のように、単一の水中ポンプＰの駆動により、水槽Ｖ内の底面領域の未浄化水は、底面濾材１６により、また水槽Ｖ内のコーナー領域の未浄化水はコーナー濾材２２により濾過することができ、これにより、水槽Ｖ内の未浄化水を広範囲に亘り濾過することができる。
【００４１】
また、底面濾過本体１とコーナー濾過本体２０は、それらを接続する接続手段Ｊにより、底面濾過室４とコーナー濾過室３０とを連通することができ、構造の簡素化と、濾過能率の向上とを図ることができる。
【００４２】
底面濾過室４とコーナー濾過室３０は、底面濾過本体１と、コーナー濾過本体２０とを接続する、第１、第２ジョイント１２，３６を連結するだけで相互に連通できるので、それら両濾過室４，３０を連通する連通手段を別途に設ける必要がなく、部品点数を少なくして構造の簡素化を図ることができ、その上、両濾過室４，３０の連通を確実のものとすることができる。
【００４３】
さらに、水槽Ｖ内の未浄化水を、濾過態様の異なる、粗な濾材と密な濾材とで濾過できるので、未浄化水の浄化能率を高めることができる。
【００４４】
さらに、底面濾過本体１と、コーナー濾過本体２０とは、雄、雌ジョイント１２，３６を着脱自在に嵌合して接続できるので、それらをワンタッチにて接続することができ、それらの接続操作、特に、水中内での接続操作が容易であり、また、それらの分離操作も容易である。
【００４５】
さらに、第１のジョイント１２は、四角状の底面濾過本体１の複数の角部にそれぞれ設けられるので、底面濾過本体１に対してコーナー濾過本体２０の接続位置を複数箇所に選択することができ、水槽Ｖ内におけるコーナー濾過装置Ｆ２の配置の自由度を高めることができる。
【００４６】
さらにまた、水槽Ｖ内の未浄化水は、底面濾過装置Ｆ１により濾過されたのち、コーナー濾過本体２０を通って水槽Ｖ内に戻される第１の流れと、コーナー濾過装置Ｆ２により濾過され、コーナー濾過本体２０を通って水槽Ｖ内に戻される第２の流れとに分流されるので、未浄化水の浄化能率を一層高めることができる。
【００４７】
以上、本発明の実施例について説明したが、本発明はその実施例に限定されることなく、本発明の範囲内で種々の実施例が可能である。
【符号の説明】
【００４８】
１・・・・・・・・底面濾過本体
１ｕ・・・・・・・濾過本体ユニット
２・・・・・・・・上壁
３・・・・・・・・側壁
４・・・・・・・・底面濾過室
１０・・・・・・・吸込小孔（上面吸込小孔）
１１・・・・・・・吸込小孔（側面吸込小孔）
１４・・・・・・・小孔
１６・・・・・・・底面濾材
２０・・・・・・・コーナー濾過本体
２２・・・・・・・コーナー濾材
２５・・・・・・・他の吸込孔
２７・・・・・・・散水管
３３・・・・・・・吸水管
３５・・・・・・・連通管
３６・・・・・・・第２のジョイント
Ｆ１・・・・・・・底面濾過装置
Ｆ２・・・・・・・コーナー濾過装置
Ｊ・・・・・・・・接続手段
Ｐ・・・・・・・・ポンプ（水中ポンプ）
Ｖ・・・・・・・・水槽
【図１】
0005681529.tif 000002
【図２】
0005681529.tif 000003
【図３】
0005681529.tif 000004
【図４】
0005681529.tif 000005
【図５】
0005681529.tif 000006
【図６】
0005681529.tif 000007